(57)【特許請求の範囲】
【請求項１】
平板表示装置と、前記平板表示装置が装着されたディスプレイハウジングと、前記ディスプレイハウジングを支持するスタンドブラケットとを含むモニタにおいて、
前記スタンドブラケットに装着部材を備え、その装着部材に対応するように前記平板表示装置の後面ケースに、締結部材を一体に形成し、平板表示装置の側に突出しないように固定して、
前記装着部材と前記締結部材とを、前記ディスプレイハウジングのリアハウジングを貫通し直接締結して、前記ディスプレイハウジングを前記スタンドブラケットに装着することを特徴とするモニタ用ディスプレイハウジング装着構造。
【請求項２】
前記装着部材はボルトであり、前記締結部材はナットであることを特徴とする請求項１記載のモニタ用ディスプレイハウジング装着構造。
【請求項３】
前記ボルトは前記スタンドブラケットに形成された装着孔に挿入され、前記ナットに締結されることを特徴とする請求項２記載のモニタ用ディスプレイハウジング装着構造。
【請求項４】
前記装着部材はナットであり、前記締結部材はボルトであることを特徴とする請求項１記載のモニタ用ディスプレイハウジング装着構造。
【請求項５】
前記ボルトは前記スタンドブラケットに形成された装着孔に挿入され、前記ナットに締結されることを特徴とする請求項４記載のモニタ用ディスプレイハウジング装着構造。
【請求項６】
前記平板表示装置の後面ケースはメタル材からなることを特徴とする請求項１記載のモニタ用ディスプレイハウジング装着構造。
【請求項７】
前記平板表示装置は液晶表示装置であることを特徴とする請求項６記載のモニタ用ディスプレイハウジング装着構造。
【請求項８】
前記請求項１ないし７のいずれかに記載のモニタ用ディスプレイハウジング装着構造を有するモニタ。
【請求項９】
前記平板表示装置は液晶表示装置であることを特徴とする請求項８に記載のモニタ。
【発明の詳細な説明】
【０００１】
【発明の属する技術分野】
本発明はモニタ用ディスプレイハウジング装着構造に関し、特に、平板表示装置を備えるディスプレイハウジングをモニタスタンドに装着する装着構造および当該装着構造を有するモニタに関する。
【０００２】
【従来の技術】
一般に、前記ディスプレイハウジングに内装される平板表示装置は、ＬＣＤ（Ｌｉｑｕｉｄ Ｃｒｙｓｔａｌ Ｄｉｓｐｌａｙ）、ＰＤＰ（Ｐｌａｓｍａ Ｄｉｓｐｌａｙ Ｐａｎｅｌ）、ＦＥＤ（Ｆｉｅｌｄ Ｅｍｉｓｓｉｏｎ Ｄｉｓｐｌａｙ）などに分類することができ、特に、液晶表示装置のＬＣＤは、図１に示すように、光を発する背光部１と、その背光部の前面に備えられ、背光部の光を受けて画像を出力するディスプレイ（又は液晶ファンネル部）２と、前記背光部とディスプレイ部の縁部を支持して、相互に必要な間隔を維持するフレーム３と、前記背光部と前記ディスプレイ部、そして、フレームを一体に固定する前面ケース４及び後面ケース５からなり、前記液晶ファンネル部２に収容された液晶（図示省略）分子の移動を用いて映像を実現させる。
【０００３】
一方、モニタは、図２に示すように、画像をディスプレイする平板表示装置１０と、前記平板表示装置を内装したディスプレイハウジング２０と、前記ディスプレイハウジングを支持すると共に、角度調節が可能なようにヒンジ部（図３の″Ｈ″参照）が備えられたスタンド３０とからなっている。
【０００４】
以下、図３を参照して前記モニタをより詳細に説明する。
【０００５】
まず、前記ディスプレイハウジング２０は、前記平板表示装置１０の前面部に位置し、平板表示装置のディスプレイ部２が外部に露出するよう開口２１ａが形成されたフロントハウジング２１と、前記平板表示装置の後面部に位置するリアハウジング２２とからなる。
そして、前記スタンド３０は、前記リアハウジング２２の後面に備えられて前記ディスプレイハウジング２０を支持すると共に、底面から前記ディスプレイハウジングを所定の間隔に離隔させるスタンドアーム３１と、そのスタンドアームを支持するスタンドボディ３２とからなる
【０００６】
一方、前記内容に基づく、従来技術によるディスプレイハウジング装着構造を以下に説明する。
【０００７】
ディスプレイハウジング装着構造は、図３に示すように、前記平板表示装置１０と通過孔２２ａが形成された前記リアハウジング２２との間に備えられ、前記ディスプレイハウジング２０の骨組みの役割を果たし、前記リアハウジングの内側面と向き合う面に前記通過孔２２ａに対応するよう装着孔４０ａが形成された板状メタルフレーム４０と、前記スタンドアーム３１の先端に備えられ、前記リアハウジング２２の後面部に位置し、前記装着孔４０ａに対応するよう装着孔３３ａが形成されたスタンドブラケット３３と、前記スタンドブラケットの装着孔３３ａと前記リアハウジングの通過孔２２ａ、そして、前記メタルフレームの装着孔４０ａに順次に締結され、前記ディスプレイハウジング２０を前記スタンド３０に装着させるスクリュー５０とからなっている。
【０００８】
ここで、メタルフレーム４０を使用する理由は、スクリュー５０をリアハウジング２２のみに締結してディスプレイハウジング２０をスタンド３０に装着させるにはリアハウジングの強度が不十分だからである。即ち、ディスプレイハウジング２０は射出物として強度が非常に弱い樹脂材からなっており、スクリュー５０をリアハウジング２２のみに締結して装着させると、平板表示装置１０の荷重によってリアハウジング２２が破損され高価な平板表示装置が十分に保護されないため、別の高強度メタルフレーム４０を使用しているのである。
【０００９】
【発明が解決しようとする課題】
前記メタルフレーム４０により発生する問題は次の通りである。
まず、ディスプレイハウジング２０と前記スタンド３０を装着するために使用されるメタルフレーム４０はその重さが大きすぎ、平板表示装置１０とリアハウジング２２との間に備えるには、ディスプレイハウジング２０の厚さが大きくなるので、モニタに対する軽薄化の要請に逆行している。
【００１０】
また、メタルフレーム４０によって別の作業工程や費用が更に要求されるため、作業性が低下するだけでなく、製作コストが上がる不具合があった。
【００１１】
そこで、本発明の目的は、メタルフレームを備えずディスプレイハウジングをスタンドブラケットに装着することができるように構造を改善して、モニタの重さと厚さを減らすことにより、機器の信頼性及び作業性を向上させると共に、製作コストを低減させることである。
【００１２】
【課題を解決するための手段】
上記の目的を達成するために、本発明によるモニタ用ディスプレイハウジング装着構造は、平板表示装置と、前記平板表示装置が装着されたディスプレイハウジングと、前記ディスプレイハウジングを支持するスタンドブラケットとを含むモニタにおいて、前記スタンドブラケットに装着部材を備え、その装着部材に対応するように前記平板表示装置の後面ケースに締結部材を固定して、前記装着部材と前記締結部材とを直接締結し、前記ディスプレイハウジングを前記スタンドブラケットに装着することを特徴とする。
【００１３】
【発明の実施の形態】
以下、本発明の実施形態を図面に沿って詳細に説明する。
【００１４】
図４は本発明によるディスプレイハウジング装着構造を示す断面図であり、図５は図４の「Ａ」部詳細図である。
従来技術と同一な構造については従来と同一な符号を付する。
【００１５】
本発明によるモニタ用ディスプレイハウジング装着構造は、図４に示すように、平板表示装置１０と、前記平板表示装置が装着されたディスプレイハウジング２０と、前記ディスプレイハウジングを支持するスタンドブラケット３３とを含むモニタにおいて、前記スタンドブラケット３３に装着部材１００を備え、前記装着部材に締結されるように前記平板表示装置１０の後面ケース１０ａに締結部材２００を固定して、前記平板表示装置１０が内装されたディスプレイハウジング２０が前記スタンドブラケット３３に装着されるよう前記平板表示装置の締結部材２００と前記スタンドブラケットの装着部材１００とを締結する構造である。
【００１６】
この際、図４と図５に示すように、前記装着部材１００としてはボルトを使用し、前記締結部材２００としてはナットが使用できる。また、図示していないが、前記装着部材としてナットを、前記締結部材としてボルトを使用することもできる。
ここで、前記ボルト１００は前記スタンドブラケット３３に形成された装着孔３３ａに挿入され、前記ナット２００に締結される。
【００１７】
また、前記締結部材２００は、前記後面ケース１０ａに一体に形成され得るし、溶接、リベット、あるいは、強制圧入により固定することができる。
【００１８】
一方、前記平板表示装置の後面ケース１０ａは、前記締結部材２００との強い装着力及び締結部材に与えられる荷重に従う強度を維持するために、メタル材からなることが好ましく、前記メタル材の後面ケースを有する平板表示装置１０はこの種の液晶表示装置である。ここで、液晶表示装置は図１に示しており、液晶表示装置の後面ケースの図面符号は「５」である。
【００１９】
これと共に、本発明によるモニタ用ディスプレイハウジング装着構造は、一般的なモニタ構造上、図４と図５に示すように、前記平板表示装置１０の後面ケース１０ａと前記スタンドブラケット３３との間に、前記ディスプレイハウジング２０の中リアハウジング２２が位置し、そのリアハウジングには前記ボルトが挿入されるように通過孔２２ａが形成された構造を更に有することが好ましい。
【００２０】
以下、図４を参照して、本発明によるモニタ用ディスプレイハウジング装着構造による組み立て過程を説明する。
【００２１】
ナット２００と通過孔２２ａ、そして、装着孔３３ａが一致するように平板表示装置１０の後面ケース１０ａとリアハウジング２２、そして、スタンドブラケット３３を配列させる。そして、前記装着孔３３ａと通過孔２２ａ、そして、ナット２００にボルト１００を順次に挿入させた後、ボルトを回してナットに締結させる。
【００２２】
【発明の効果】
以上説明したように、本発明によれば、従来のメタルフレームが不要であり、ディスプレイハウジングがスタンドブラケットに装着されるように構造を改善したものであって、モニタの重さ及び厚さが減少して、機器の軽薄化に伴う機器の信頼性が向上するという効果が得られる。
また、作業性が向上すると共に製作コストを低減させることができる。
【図面の簡単な説明】
【図１】  一般的な平板表示装置のうちの液晶表示装置の構成の概要を示す断面図である。
【図２】  一般的な平板表示装置を備えたモニタを示す斜視図である。
【図３】  従来技術によるディスプレイハウジング装着構造を示す断面図である。
【図４】  本発明によるディスプレイハウジング装着構造を示す断面図である。
【図５】  図４の「Ａ」部詳細図である。
【符号の説明】
１０：平板表示装置
１０ａ：後面ケース
２０：ディスプレイハウジング
２２：リアハウジング
２２ａ：通過孔
３３：スタンドブラケット
３３ａ：装着孔
１００：装着部材
２００：締結部材
【図１】
0004124617.tif 000002
【図２】
0004124617.tif 000003
【図３】
0004124617.tif 000004
【図４】
0004124617.tif 000005
【図５】
0004124617.tif 000006